【手続補正書】
【提出日】平成19年11月20日(2007.11.20)
【手続補正１】
【補正対象書類名】明細書
【補正対象項目名】発明の名称
【補正方法】変更
【補正の内容】
【発明の名称】色処理装置及び方法及び記憶媒体
【手続補正２】
【補正対象書類名】明細書
【補正対象項目名】特許請求の範囲
【補正方法】変更
【補正の内容】
【特許請求の範囲】
【請求項１】
デバイスによって出力されたカラーパッチを測色することで得られた測色値を用いて、デバイス依存値からデバイス非依存色空間上のデバイス非依存値に変換するための、該デバイスの順方向モデルを生成する順方向モデル生成手段と、
無彩色であるデバイス依存値に応じたデバイス非依存値を取得する無彩色取得手段と、
前記取得されたデバイス非依存値が前記デバイス非依存色空間における無彩色軸上の値になるように、前記順方向モデルを修正する修正手段と
を有することを特徴とする色処理装置。
【請求項２】
前記デバイスの非依存色空間は、カラーアピアランススペースであり、観察条件、周囲環境、背景を考慮した色空間であることを特徴とする請求項１記載の色処理装置。
【請求項３】
前記修正手段は、調整対象色の彩度に応じて修正量を調整することを特徴とする請求項１または２記載の色処理装置。
【請求項４】
前記修正手段は、調整対象色の明度に応じて修正量を調整することを特徴とする請求項１または２記載の色処理装置。
【請求項５】
前記修正された順変換モデルに基づき、前記デバイス非依存値を前記デバイス依存値に変換するための逆方向モデルを生成する逆方向モデル生成手段を有することを特徴とする請求項１乃至４のいずれか１項に記載の色処理装置。
【請求項６】
デバイスによって出力されたカラーパッチを測色することで得られた測色値を用いて、デバイス依存値からデバイス非依存色空間上のデバイス非依存値に変換するための、該デバイスの順方向モデルを生成する順方向モデル生成工程と、
無彩色であるデバイス依存値に応じたデバイス非依存値を取得する無彩色取得工程と、
前記取得されたデバイス非依存値が前記デバイス非依存色空間における無彩色軸上の値になるように、前記順方向モデルを修正する修正工程と
を有することを特徴とする色処理方法。
【請求項７】
コンピュータを、
デバイスによって出力されたカラーパッチを測色することで得られた測色値を用いて、デバイス依存値からデバイス非依存色空間上のデバイス非依存値に変換するための、該デバイスの順方向モデルを生成する順方向モデル生成手段と、
無彩色であるデバイス依存値に応じたデバイス非依存値を取得する無彩色取得手段と、
前記取得されたデバイス非依存値が前記デバイス非依存色空間における無彩色軸上の値になるように、前記順方向モデルを修正する修正手段
として機能させるためのプログラムを記憶したコンピュータ読取り可能な記憶媒体。
【手続補正３】
【補正対象書類名】明細書
【補正対象項目名】０００１
【補正方法】変更
【補正の内容】
【０００１】
【発明の属する技術分野】
本発明は、デバイスによって出力されたカラーパッチを測色して得られた測色値を用いて、デバイス依存値からデバイス非依存値に変換するための、該デバイスの順方向モデルを生成するものに関する。
【手続補正４】
【補正対象書類名】明細書
【補正対象項目名】０００２
【補正方法】変更
【補正の内容】
【０００２】
【従来の技術】
色出現空間（color appearance space）は、色が観察者にどのように見えるか、すなわち、それらの色が観察者によりどのように感知されるかを記述しようとする色座標を定義するものである。広く使用されている色出現空間の１つがCIECAM９７であり、その色座標はＪＣｈ(円筒座標)である。それらの座標をＪａｂと呼ばれる直交座標で表現することも可能である。色出現空間がデバイス非依存の色空間(デバイス非依存の色空間の例としては、CIEXYZやCIELABなどがある)などの他の色空間と異なる点の１つは、色出現空間が観察条件、周囲環境及び背景を考慮に入れて、観察者が色をどのように感知するかをモデリングしようとしていることである。例えば、同じカラーサンプルであっても、白い背景の上に置けば黒く見え、黒い背景の上に置けば単に濃い灰色に見えることもある。色出現空間は背景の相違を考慮に入れるが、CIEXYZのようなデバイス非依存の空間はそれを考慮しない。
【手続補正５】
【補正対象書類名】明細書
【補正対象項目名】０００５
【補正方法】変更
【補正の内容】
【０００５】
このような状況の結果、色領域マッピング中に問題が起こる。すなわち、色出現で表現される黒の色は厳密には黒ではないため、色領域マッピング中に、多くの色領域マッピングが色出現空間で実行されることから、異常な色効果が現れる。例えば、色域マッピングで(多くの色域マッピング技法で行われているように)色を無彩色軸に向かって圧縮した場合、上記の黒色は無彩色軸の後端の外にマッピングされるので、その結果、感知という点では黒の色が暗赤色として再現されてしまうような状況が起こる。
【課題を解決するための手段】
この課題を解決するため、例えば本発明の色処理装置は以下の構成を備える。すなわち、
デバイスによって出力されたカラーパッチを測色することで得られた測色値を用いて、デバイス依存値からデバイス非依存色空間上のデバイス非依存値に変換するための、該デバイスの順方向モデルを生成する順方向モデル生成手段と、
無彩色であるデバイス依存値に応じたデバイス非依存値を取得する無彩色取得手段と、
前記取得されたデバイス非依存値が前記デバイス非依存色空間における無彩色軸上の値になるように、前記順方向モデルを修正する修正手段とを有する。
【手続補正６】
【補正対象書類名】明細書
【補正対象項目名】０００６
【補正方法】変更
【補正の内容】
【０００６】
【発明の実施の形態】
本発明は、デバイスの色域の表現をデバイスの無彩色軸に対して調整するシステムを提供することにより、上記の問題に対処する。調整は、デバイスの複数のサンプルカラーパッチを出力し、それらのカラーパッチをデバイス依存の空間(C、M、Y、Kなど)からデバイス非依存の色出現空間(Ｊａｂなど)に変換することにより実行される。一般に、変換は、周知の技法により実行され、通常は、パッチの色値を測定し、それらを明度(Ｊ)と、色相及び彩度を表現する２つの座標ａ及びｂ(ａはおおよそ赤／緑を表し、ｂはおおよそ青／黄色を表す)とによってマッピングすることにより実行される。測定値をルックアップテーブルにマッピングする。これを「順方向(forward)マッピング」と呼ぶことが多い。
【手続補正７】
【補正対象書類名】明細書
【補正対象項目名】００１８
【補正方法】変更
【補正の内容】
【００１８】
１つの態様においては、本発明は、コンピュータの色管理モジュールにより使用されるべきカラールックアップテーブル(ＣＬＵＴ)の開発段階で適用される。色管理モジュールは、一般に、パーソナルコンピュータなどの計算装置でプリント動作中にカラーデータを調整するために利用される。通常、色管理モジュールは、色変換及び色領域マッピングなどの動作を実行するために、コンピュータに格納されているカラールックアップテーブルをアクセスする。更に別の態様においては、本発明は色出現モデルの開発段階で適用されるが、これにより得られるモデルは、後に、実際の色管理セッション中にエンドユーザにより使用される。
【手続補正８】
【補正対象書類名】明細書
【補正対象項目名】００３０
【補正方法】変更
【補正の内容】
【００３０】
プリンタ又は他の出力装置が以上の説明に従ってカラーパッチを生成したならば、分光光度計７０のような分光光度計、又は他の何らかの色値測定装置を使用して、各カラーパッチについて測定値を求め、それらの測定値を必要に応じて変換して、カラーパッチごとの色出現空間値を得る(ステップＳ３０２)。周知の技法を利用して、明度(Ｊ)、色相(ｈ)及び彩度(ｃ)について、 CIECAM９７値などの色出現空間値をカラーパッチごとに求める。これにより得られる値は、カラーパッチごとの、ＣＭＹなどのデバイス座標空間からＪＣｈ(色出現空間の円筒座標)などの色出現空間への変換を表すが、詳細には、直交座標が得られる。従って、必要に応じて、ＪＣｈ値をＪａｂ値(色出現空間の直交座標)に変換するのが好ましい。Ｊａｂ空間では、(Ｊ)は明度を表し、ａは色相、ｈは彩度を表す(「ａ」はおおよそ赤／緑を表し、「ｂ」はおおよそ青／黄色を表す)。この変換は、ＣＭＹなどのデバイス依存の空間からＪａｂデバイス非依存の色出現空間への順方向マッピングを行うものである。